(57)【要約】【課題】  通信手段を介して送信する複数の画像を滑らかに表示するには、伝送時間を短くする必要があるが、表示装置の画素数よりも画像ファイル容量を小さくし過ぎると画質が劣化し、大き過ぎるとメモリ容量が増えてコスト高になる。【解決手段】  被写体像を撮像する撮像素子と、撮像素子で撮像した画像を縮小する画像処理部と、縮小された画像を送信する通信部と、通信部が送信した画像を受信した機器の画像記憶部で複数枚の画像を記憶できる画素数に画像を縮小するように画像処理部を制御する制御部とを設けた。【選択図】    図１
2007288654.tif 000002
【特許請求の範囲】
【請求項１】
被写体像を撮像する撮像素子と、
前記撮像素子で撮像した画像を縮小する画像処理部と、
前記縮小された画像を送信する通信部と、
前記通信部が送信した画像を受信した機器の画像記憶部で複数枚の画像を記憶できる画素数に前記画像を縮小するように前記画像処理部を制御する制御部とを有すること
を特徴とする撮像装置。
【請求項２】
前記制御部は、前記機器から送信された前記画像記憶部の空き記憶容量に応じて前記画像処理部を制御すること
を特徴とする請求項１に記載の撮像装置。
【請求項３】
被写体像を撮像する撮像素子と、前記撮像素子によって撮像した第１の画像を記憶する第１の記憶部と、前記第１の記憶部に記憶された前記第１の画像を縮小した第２の画像を作成する第１の画像処理部と、前記第２の画像を送信する第１の通信部とを備える画像送信部と、
前記第１の通信部が送信した前記第２の画像を受信する第２の通信部と、受信した前記第２の画像を記憶する第２の記憶部と、前記第２の画像を所定の画素数で出力する画像出力部とを備える画像受信部とを有し、
前記第１の画像処理部は、前記第２の記憶部で複数枚の画像を記憶できる画素数に前記第１の画像を縮小すること
を特徴とする画像再生装置。
【請求項４】
前記第２の通信部は、前記第２の記憶部の記憶容量を前記第１の通信部に送信し、
前記第１の画像処理部は、前記第２の記憶部に少なくとも２枚の画像が記憶できる画素数に縮小した前記第２の画像を作成すること
を特徴とする請求項３に記載の画像再生装置。
【請求項５】
前記第２の通信部は、前記第２の記憶部の空き記憶容量を前記第１の通信部に送信し、
前記第１の画像処理部は、前記空き記憶容量に応じて縮小した前記第２の画像を作成すること
を特徴とする請求項３に記載の画像再生装置。
【請求項６】
前記第１の画像処理部は、前記第１の画像から画素数の異なる複数の第２の画像を作成し、
前記第１の記憶部は、前記画素数の異なる複数の第２の画像を記憶し、
前記第１の通信部は、前記画素数の異なる複数の第２の画像から前記画像出力手段が出力する画素数に応じた画像を選んで送信すること
を特徴とする請求項３に記載の画像再生装置。
【請求項７】
前記第１の記憶部は、前記第１の縮小手段で縮小された前記第２の画像を記憶し、
前記第１の通信部は、既に送信済みの画像を再度送信する場合には前記第１の記憶部に記憶された前記第２の画像を送信すること
を特徴とする請求項３に記載の画像再生装置。
【請求項８】
前記画像処理部は、前記第１の通信部と前記第２の通信部との間の画像の送受信時間が、前記画像出力部の画像出力間隔よりも短くなるように前記第１の画像を縮小すること
を特徴とする請求項３から請求項７のいずれか一項に記載の画像再生装置。
【請求項９】
前記画像出力部は、前記第１の通信部と前記第２の通信部との間の画像の送受信時間が、前記画像出力部の画像出力間隔よりも短くなるように前記第２の画像を出力すること
を特徴とする請求項３から請求項７のいずれか一項に記載の画像再生装置。
【請求項１０】
前記第２の通信部は、前記画像出力部で出力する画素数の情報を前記第１の通信部に送信し、
前記第１の画像処理部は、前記第１の画像を前記画像出力部で出力する画素数以下に縮小した前記第２の画像を作成すること
を特徴とする請求項３から請求項８のいずれか一項に記載の画像再生装置。
【請求項１１】
前記画像送信部は、画像の縮小率または画素数を選択する第１の選択部を備え、
前記第１の画像処理部は、前記第１の画像を前記第１の選択部で選択した縮小率または画素数に縮小すること
を特徴とする請求項３に記載の画像再生装置。
【請求項１２】
前記画像受信部は、前記画像出力手段で出力する画像の縮小率または画素数を選択する第２の選択部を備え、
前記第２の通信部は、前記第２の選択部で選択した縮小率または画素数の情報を前記第１の通信部に送信し、
前記第１の画像処理部は、前記第１の画像を前記第２の選択部で選択した縮小率または画素数で前記第２の画像を作成すること
を特徴とする請求項３に記載の画像再生装置。
【請求項１３】
前記第２の通信部は、前記第２の記憶部の空き記憶容量を前記第１の通信部に送信し、
前記第１の通信部は、前記空き記憶容量よりも大きな容量の画像を送信しないこと
を特徴とする請求項３に記載の画像再生装置。
【請求項１４】
被写体像を撮像する撮像素子と、前記撮像素子によって撮像した第１の画像を記憶する第１の記憶部と、前記第１の画像を送信する第１の通信部とを備える画像送信部と、
前記第１の通信部が送信した前記第１の画像を受信する第２の通信部と、前記第１の画像を縮小した第２の画像を作成する第２の画像処理部と、前記第２の画像を記憶する第２の記憶部と、前記第２の画像を所定の画素数で出力する画像出力部とを備える画像受信部とを有すること
を特徴とする画像再生装置。
【請求項１５】
前記第２の画像処理部は、前記第２の記憶部で複数枚の画像を記憶できる画素数に前記第２の画像を縮小すること
を特徴とする請求項１４に記載の画像再生装置。
【請求項１６】
前記第２の画像処理部は、前記第１の画像から前記画像出力部で出力する画素数に縮小した第２の画像を作成すること
を特徴とする請求項１４または請求項１５に記載の画像再生装置。
【請求項１７】
前記画像受信部は、前記画像出力部で出力する画像の縮小率または画素数を選択する第２の選択手段を備え、
前記第２の画像処理部は、前記第１の画像を前記第２の選択手段で選択した縮小率または画素数で前記第２の画像を作成すること
を特徴とする請求項１４または請求項１５に記載の画像再生装置。
【請求項１８】
前記第２の画像処理部は、前記第１の画像から画素数の異なる複数の前記第２の画像を作成し、
前記第１の通信部は、前記画素数が異なる複数の第２の画像から前記画像出力部が出力する画素数に応じた画像を選んで送信すること
を特徴とする請求項１４から請求項１７のいずれか一項に記載の画像再生装置。
【請求項１９】
前記画像出力部が出力した画像を表示する表示部を有すること
を特徴とする請求項３から請求項１８のいずれか一項に記載の画像再生装置。
【請求項２０】
前記画像出力部が出力した画像を印刷する印刷部を有すること
を特徴とする請求項３から請求項１８のいずれか一項に記載の画像再生装置。
【請求項２１】
前記画像出力部が出力する画素数が、前記表示部または前記印刷部の画素数よりも小さいときは、前記表示部または前記印刷部は拡大せずに表示または印刷すること
を特徴とする請求項１９または請求項２０に記載の画像再生装置。                                                                               
【発明の詳細な説明】
【技術分野】
【０００１】
本発明は、画像を送受信して再生する撮像装置及び画像再生装置に関する。
【背景技術】
【０００２】
従来、複数の画像を順に表示するスライドショーが知られており、カメラで撮影した画像をパンやズームしながら順に表示して鑑賞することができる。また、画像の表示に合わせて音楽を再生する画像表示装置もある。
一方で、カメラ付き携帯電話などが普及し、撮影した画像を送信できるようになってきた。例えば、特許文献１には、無線通信機能を備えた画像入力装置と画像表示装置とを設け、無線通信で、画像入力装置から画像表示装置に画像を送信して表示する画像通信装置が記載されている。
【特許文献１】特開２００２−０９４８４８号公報
【発明の開示】
【発明が解決しようとする課題】
【０００３】
しかしながら、高画素数のカメラでは、複数枚の画像を連続して送信する場合は、受信側に大きな容量のバッファメモリが必要となり、装置コストが高くなってしまうという問題がある。
上記課題に鑑み、本発明の目的は、メモリの容量を大きくせずに複数の画像を送信できる撮像装置及び画像再生装置を提供することである。
【課題を解決するための手段】
【０００４】
本発明に係る撮像装置は、被写体像を撮像する撮像素子と、前記撮像素子で撮像した画像を縮小する画像処理部と、前記縮小された画像を送信する通信部と、前記通信部が送信した画像を受信した機器の画像記憶部で複数枚の画像を記憶できる画素数に前記画像を縮小するように前記画像処理部を制御する制御部とを有することを特徴とする。
また、本発明に係る画像再生装置は、被写体像を撮像する撮像素子と、前記撮像素子によって撮像した第１の画像を記憶する第１の記憶部と、前記第１の記憶部に記憶された前記第１の画像を縮小した第２の画像を作成する第１の画像処理部と、前記第２の画像を送信する第１の通信部とを備える画像送信部と、前記第１の通信部が送信した前記第２の画像を受信する第２の通信部と、受信した前記第２の画像を記憶する第２の記憶部と、前記第２の画像を所定の画素数で出力する画像出力部とを備える画像受信部とを有し、前記第１の画像処理部は、前記第２の記憶部で複数枚の画像を記憶できる画素数に前記第１の画像を縮小することを特徴とする。
【０００５】
さらに、前記画像送信部は、画像の縮小率または画素数を選択する第１の選択部を備え、前記第１の画像処理部は、前記第１の画像を前記第１の選択部で選択した縮小率または画素数に縮小することを特徴とする。
あるいは、前記画像受信部は、前記画像出力手段で出力する画像の縮小率または画素数を選択する第２の選択部を備え、前記第２の通信部は、前記第２の選択部で選択した縮小率または画素数の情報を前記第１の通信部に送信し、前記第１の画像処理部は、前記第１の画像を前記第２の選択部で選択した縮小率または画素数で前記第２の画像を作成することを特徴とする。
【０００６】
また、被写体像を撮像する撮像素子と、前記撮像素子によって撮像した第１の画像を記憶する第１の記憶部と、前記第１の画像を送信する第１の通信部とを備える画像送信部と、前記第１の通信部が送信した前記第１の画像を受信する第２の通信部と、前記第１の画像を縮小した第２の画像を作成する第２の画像処理部と、前記第２の画像を記憶する第２の記憶部と、前記第２の画像を所定の画素数で出力する画像出力部とを備える画像受信部とを有することを特徴とする。
【０００７】
特に、前記画像受信部は、前記画像出力部で出力する画像の縮小率または画素数を選択する第２の選択手段を備え、前記第２の画像処理部は、前記第１の画像を前記第２の選択手段で選択した縮小率または画素数で前記第２の画像を作成することを特徴とする。
さらに、前記画像出力部が出力した画像を表示する表示部を有することを特徴とする。
あるいは、前記画像出力部が出力した画像を印刷する印刷部を有することを特徴とする。
【発明の効果】
【０００８】
本発明によれば、受信側のバッファメモリの容量を小さくすることができる。
【発明を実施するための最良の形態】
【０００９】
以下、図面を参照して本発明に係る画像再生装置について説明する。
（第１の実施形態）
図１に、第１の実施形態に係る画像再生装置１０１のブロック図を示す。画像再生装置１０１は、画像送信部１０２と画像受信部１０３とを有する。画像送信部１０２は、レンズ１０６および撮像素子１０７を備えており、携帯電話や無線通信機能を備えたデジタルカメラなどである。画像受信部１０３から送られてくる画像受信部１０３が出力する画像の解像度やバッファメモリの容量などの装置情報に応じて、画像送信部１０２はそれに合わせて送信画像の縮小を行って画像受信部１０３に縮小した画像を送信する。また、送信する画像に合わせた音楽データも画像送信部１０２から画像受信部１０３に送信し、画像受信部１０３では、受信した画像を出力しながら音楽が再生、または音声データが出力される。
【００１０】
先ず、画像送信部１０２の構成を説明する。画像送信部１０２は、ＣＰＵ（演算処理部）１０４に予め格納されたプログラムによって動作する。ＣＰＵ１０４は、ＣＰＵ１０４自身のＩ／Ｏ（入出力部）やシステムバス１０５によって画像送信部１０２の全体を制御する。また、画像送信部１０２はカメラ機能を有しており、レンズ１０６から入射した光は撮像素子１０７に結像され、Ａ／Ｄ変換部１０８でデジタル信号に変換されてバッファメモリ１０９に記憶される。尚、バッファメモリ１０９には、撮影した一連の画像が一時的に記憶される。
【００１１】
バッファメモリ１０９に記憶された画像は、システムバス１０５を介して、ＣＰＵ１０４が読出し、メモリカードＩＦ（インターフェース）１１０を介してメモリカード１１１に記憶できる。或いは、ＣＰＵ１０４の指示によって、ＤＳＰ（デジタル信号処理部）１１２で色補正や縮小などの画像処理を行って、メモリカード１１１に記憶する。
また、ＣＰＵ１０４は、バッファメモリ１０９や、メモリカード１１１に記憶されている画像を読み出して、表示制御部１１３に送り、液晶モニタ１１４に表示する。
【００１２】
操作パネル１１５は、画像送信部１０２の設定（例えば、電源のオンオフや撮影条件の設定，必要に応じて、送信画像のフォルダ選択や画像受信部１０３側の表示装置の種類の選択および縮小率の設定など）を行う。また、レリーズ１１６を押し下げることにより、撮像素子１０７で被写体の撮像を行う。
音声は、マイク１１７から入力し、音声入力部１１８でデジタルデータに変換され、ＣＰＵ１０４によってバッファメモリ１０９やメモリカード１１１に画像データと共に記憶される。また、メモリカード１１１によって、音声ファイルや撮影済みの画像ファイルを入力することもできる。さらに、ＣＰＵ１０４は、送受信部１１９およびアンテナ１２０を用いて、画像受信部１０３と画像データ，音声データ，制御データ（画像ファイル名やサイズ、音楽ファイル名やサイズ、カメラのパン方向、終了の連絡など）などを無線通信する。
【００１３】
次に、画像受信部１０３の構成を説明する。画像受信部１０３は、ＣＰＵ（演算処理部）１２１に予め格納されたプログラムによって動作する。ＣＰＵ１２１は、ＣＰＵ１２１自身のＩ／Ｏ（入出力部）やシステムバス１２２によって接続された画像受信部１０３の全体を制御する。画像受信部１０３は、電源のオンオフ，画像受信部１０３の設定などは操作パネル１２３や、赤外線送受信部１３３に接続される赤外線リモコン（図示せず）で操作を行う。また、ＣＰＵ１２１は、送受信部１２５およびアンテナ１２４を介して、画像送信部１０２と無線通信し、画像データや音声データの受信および制御データ（出力画像の種類、画素数、バッファメモリ１２６の容量、終了要求など）の送受信を行う。ＣＰＵ１２１は、画像送信部１０２から送られてくる画像データや音声データをバッファメモリ１２６や、メモリカードＩＦ１２７を介して、メモリカード１２８に記憶する。
【００１４】
バッファメモリ１２６に記憶された画像データは、画像出力部１２９で、表示装置１３０に合わせた画像出力信号に変換されて、表示装置１３０に表示される。尚、本実施形態では、表示装置１３０は、画像受信部１０３に内蔵されているが、画像出力部１２９の画像信号を出力する端子が設け、外付けにしても構わない。
一方、メモリカード１２８に記憶された音声データは、ＣＰＵ１２１によって読み出され、音声出力部１３１でアナログの音声信号に変換され、スピーカ（ＳＰ）１３２に出力される。尚、音声信号は、音楽などオーディオ信号でも構わない。或いは、画像出力部１２９で、画像信号に音声信号を多重して、外部に接続されたテレビなどに出力するようにしても構わない。
【００１５】
さらに、画像受信部１０３は、印刷装置１３４を内蔵しており、受信した画像をそのまま印刷したり、バッファメモリ１２６やメモリカード１２８に記憶された画像を印刷できる。尚、印刷装置１３４は外付けにしても構わない。
また、画像受信部１０３は、ネットワークＩＦ１３５も内蔵しており、送受信部１２５による無線接続だけでなく、ネットワークを介して受信した画像データや音声データを利用することができる。この場合は、ＣＰＵ１２１によって、送受信部１２５が受信した画像データや音声データの代わりに、ネットワークＩＦ１３５を介して受信した画像データや音声データを使用することができる。
【００１６】
次に、画像再生装置１０１の動作について説明する。尚、表示装置１３０は、ＳＤＴＶ（標準テレビ）とＨＤＴＶ（高精細テレビ）のいずれかの画像フォーマットを有している場合を想定している。ＳＤＴＶの画素数は７２０×４８０画素で、ＨＤＴＶの画素数は１９２０×１０８０画素である。また、撮像素子１０７は、３８４０×２１６０画素の画素数である。
【００１７】
さらに、画像再生装置１０１は、ＥＸＩＦ規格（ＪＥＩＤＡによって標準化されているデジタルカメラ用画像ファイル規格）に準拠し、バッファメモリ１０９の撮影画像は、ＤＳＰ１１２によって縮小された画像（例えば、６４０×４８０画素や１６０×１２０画素など）と共に、メモリカード１１１に記憶される。撮影日時などの付加情報も同時に記憶される。
【００１８】
音楽データは、例えば、ＭＰ３，ＡＡＣおよびＷＡＶなどの各種のフォーマットが使用され、送信されるフォーマットに応じた再生処理が行われる。
尚、画像送信部１０２および画像受信部１０３の両方の装置の電源を投入すると、自動的に、画像受信部１０３側の装置情報（出力画素数やバッファメモリ容量など）が画像送信部１０２側に送られ、画像送信部１０２側から画像受信部１０３側の装置情報に応じた画像が送信される。送信される画像は、デフォルト状態では、画像送信部１０２本体のバッファメモリ１０９に記憶されている一連の画像が送信される。デフォルト状態ではなく、操作パネル１１５でメモリカード１１１のフォルダを指定した場合は、指定したフォルダに記憶されている一連の画像が送信される。
【００１９】
以下、画像送信部１０２のＣＰＵ１０４および画像受信部１０３のＣＰＵ１２１のプログラム処理を、図２および図３のフローチャートを用いて詳しく説明する。図２、図３に示すフローチャートは、画像受信部１０３が出力する画像の画素数や、記憶容量に応じて、画像送信部１０２で画像を縮小してから、受信側へ送信する。画像受信部１０３では、受信した画像を使用してスライドショーを行う処理を示している。尚、スライドショーは行わなくても構わない。
（画像送信部：Ｓ２０１）操作パネル１１５を操作して、画像送信部１０２の電源をオンする。
（画像受信部：Ｓ２５１）操作パネル１２３を操作して、画像受信部１０３の電源をオンする。
（画像受信部：Ｓ２５２）画像受信部１０３の表示装置１３０の種類，画像出力部１２９が出力する画像の画素数（解像度）およびバッファメモリ１２６の容量などに関する情報を画像送信部１０２に送る。尚、表示装置１３０の種類や出力する画像の画素数は、ＣＰＵ１２１が機器の情報を読み取って、自動的に認識する。
（画像送信部：Ｓ２０２）Ｓ２５２で送信された情報を受信する。
（画像送信部：Ｓ２０３）画像受信部１０３の画像出力部１２９が出力する画像の画素数に応じて、バッファメモリ１０９に記憶された撮影画像（もしくはメモリカード１１１に記憶された撮影済みの画像）の縮小率を計算する。
【００２０】
例えば、撮影画像の画素数が３８７２×２５９２画素で、出力する画像の画素数がＳＤＴＶの７２０×４８０画素の場合は、縦横それぞれ約１／５の縮小率となる。また、出力する画像の画素数がＨＤＴＶの１９２０×１０８０画素の場合は、縦横それぞれ約１／２の縮小率となる。
この時、画像受信部１０３のバッファメモリ１２６に少なくとも２枚の画像が入るように、縮小率を調整してもよい。例えば、出力する画像の画素数に縮小して送信した場合でも、２枚の画像が画像受信部１０３のバッファメモリ１２６に入らない時は、画像受信部１０３のバッファメモリ１２６の容量に合わせて、さらに縮小した画像を送信してもよい。
（画像送信部：Ｓ２０４）画像送信部１０２は音楽付スライドショーの情報ファイルを画像受信部１０３に送信する。この情報ファイルには、デフォルトもしくはユーザによって指定された音楽ファイル名、画像ファイル名、画像表示のパン方向などの情報が含まれる。
（画像受信部：Ｓ２５３）音楽付スライドショーの情報ファイルを受け取った画像受信部１０３は、後に送られてくる音楽データ、画像データをこれらの情報ファイルに従って受信する準備を行う。
（画像送信部：Ｓ２０５）先に送信した音楽ファイル名の音楽データを所定のフォーマットで、画像受信部１０３に送信する。
（画像受信部：Ｓ２５４）音楽データを受信した画像受信部１０３は、バッファメモリ１２６またはメモリカードＩＦ１２７を介してメモリカード１２８に記憶し、後に送られてくる画像の出力に合わせて、音声出力部１３１およびスピーカ１３２から音楽などを再生する準備を行う。
（画像送信部：Ｓ２０６）画像送信部１０２の画像出力カウンタＭを初期値の１にセットして、画像を送信する準備を行う。
（画像受信部：Ｓ２５５）画像受信部１０３の画像出力カウンタＮを初期値の１にセットして、画像を受信する準備を行う。
（画像送信部：Ｓ２０７）Ｓ２０２で受信した画像受信部１０３の出力画像の画素数に応じて処理を分岐し、ＳＤＴＶの場合はＳ２０８へ、ＨＤＴＶの場合はＳ２０９に進む。
（画像送信部：Ｓ２０８）（ＳＤＴＶの場合）ＥＸＩＦの縮小画像（サムネイル）として撮影時にメモリカード１１１に記憶された画像を選択し、送信画像として準備する。尚、この時、次のＳ２０９およびＳ２１０と同様に、ＥＸＩＦの縮小画像（サムネイル）を使用せずに、ＤＳＰ１１２で縦横それぞれ１／５に縮小した画像を用いても構わない。
（画像送信部：Ｓ２０９）（ＨＤＴＶの場合）バッファメモリ１０９の撮影画像をＤＳＰ１１２で縦横それぞれ１／２に縮小する。
（画像送信部：Ｓ２１０）（ＨＤＴＶの場合）縮小した画像をメモリカード１１１に記憶し、送信画像として準備する。
（画像送信部：Ｓ２１１）準備された送信画像を画像受信部１０３に送信する。
（画像受信部：Ｓ２５６）画像送信部１０２から送られてくる画像を受信する。つまり、画像受信部１０３の画像出力部１２９の画素数がＳＤＴＶの場合は、ＥＸＩＦの縮小画像が受信され、ＨＤＴＶの場合は、撮影画像を縦横それぞれ１／２に縮小した画像が受信される。
（画像受信部：Ｓ２５７）画像受信が終わると、次の画像要求を画像送信部１０２に送る。
【００２１】
ここで、図２のフローチャートの続きを図３に示す。尚、図２のＡ，Ｂ，Ｃ，Ｄ，Ｅは、それぞれ図３の同一符号に接続され、処理の方向は矢印で示す。
（画像送信部：Ｓ２１２）Ｓ２１１で画像を送信した画像送信部１０２は、操作パネル１１５によるユーザの終了操作があったか否かを判断する。終了操作があった場合はＳ２１３へ進み、終了操作がなかった場合はＳ２１６に進む。
（画像送信部：Ｓ２１３）ユーザによる終了操作があった場合は、「終了」を送信し、一連の動作を終了することを画像受信部１０３に知らせ、Ｓ２１４に進む。
（画像送信部：Ｓ２１４）画像受信部１０３から終了確認を受信するまで待って、終了確認を受信したら、Ｓ２１５に進み、画像送信部１０２の動作を全て終了する。
（画像送信部：Ｓ２１６）Ｓ２５７による次画像要求があったか否かを判断する。次画像要求があった場合はＳ２１７に進み、なかった場合はＳ２１３に進む。
（画像送信部：Ｓ２１７）先に画像ファイル名で指定した画像の最終画像であるか否かを判断する。Ｓ２１１で送信した画像が最終画像だった場合はＳ２１９に進み、最終画像でなかった場合はＳ２１８に進む。
（画像送信部：Ｓ２１８）画像出力カウンタＭを１つインクリメントして、Ｓ２０７に戻る。
（画像送信部：Ｓ２１９）ここから、２回目の画像送信処理が始まる。画像出力カウンタを初期値の１に設定する。尚、この時点で、メモリカード１１１には、Ｓ２０７からＳ２１７の処理フローで送信された１回目の画像が全て記憶されている。
（画像送信部：Ｓ２２０）メモリカード１１１に記憶されている１回目の送信画像を読み出して、画像受信部１０３に送信する。つまり、１回目の送信画像がＳＤＴＶの場合はＥＸＩＦの縮小画像を送信し、ＨＤＴＶの場合は撮影画像を縦横それぞれ１／２に縮小した画像が送信される。
（画像送信部：Ｓ２２１）操作パネル１１５によるユーザの終了操作があったか否かを判断する。終了操作があった場合はＳ２１３へ進み、終了操作がなかった場合はＳ２２２に進む。
（画像送信部：Ｓ２２２）Ｓ２５７による次画像要求があったか否かを判断する。次画像要求があった場合はＳ２２３に進み、なかった場合はＳ２１３に進む。
（画像送信部：Ｓ２２３）先に画像ファイル名で指定した画像の最終画像であるか否かを判断する。Ｓ２２０で送信した画像が最終画像だった場合はＳ２１９に戻り、最初の画像から送信を繰り返す。最終画像でなかった場合はＳ２２４に進む。
（画像送信部：Ｓ２２４）画像出力カウンタＭを１つインクリメントして、Ｓ２２０に戻り、次の画像を送信する。
【００２２】
次に、Ｓ２５６で１枚目の画像を受信し、Ｓ２５７で次の画像を要求した後の画像受信部１０３の処理を説明する。
（画像受信部：Ｓ２５８）画像出力部１２９の出力画素数が受信画像の画素数より大きいか否かを調べ、大きい場合は受信画像を拡大せずにそのままバッファメモリ１２６に記憶する。例えば、１回目の画像送信処理で、ＳＤＴＶの場合は、ＥＸＩＦの縮小画像（６４０×４８０画素）を送信したので、そのままＳＤＴＶの画像として出力することが可能であるが、もし、受信した縮小画像の画素数が１６０×１２０画素の場合、これをＳＤＴＶの画像として画面全体に表示するためには、縦横それぞれ約４倍に拡大すると表示される画像が粗くなる。そこで、この場合は、図４に示すように、画像出力部１２９に接続されている表示装置１３０の画面９０８の一部に、縮小画像９０９を表示するようにする。尚、縮小画像９０９の表示場所は、表示装置１３０の画面９０８のどこでも構わない。
（画像受信部：Ｓ２５９）受信した画像のファイル容量がバッファメモリ１２６の記憶容量の残容量よりも大きいか否かを判断し、大きい場合はＳ２６６に進み、小さい場合はＳ２６０に進む。これにより、バッファメモリ１２６のオーバーフローを防ぐことができる。例えば、少なくとも２枚の受信した画像をバッファメモリ１２６に記憶できる場合、バッファメモリ１２６が空の状態では、残容量はバッファメモリ１２６の容量の５０％となる。この場合、図５（ａ）に示したように、バッファメモリ１２６に、（Ｎ−１）枚目の画像ファイル容量４０２と、Ｎ枚目の画像ファイル容量４０３とが記憶されることになる。
（画像受信部：Ｓ２６０）受信した画像をバッファメモリ１２６に記憶する。
（画像受信部：Ｓ２６１）画像出力カウンタＮが１より大きいか否かを判断する。つまり、１枚目か否かを判断し、Ｎ＝１の１枚目の画像の場合はＳ２６２に進み、２枚目以降の場合はＳ２６３に進む。
（画像受信部：Ｓ２６２）１枚目の画像を予め設定された時間だけ、画像出力部１２９から出力し、Ｓ２６６に進む。尚、画像の表示時間の設定は、画像受信部１０３の操作パネル１２３や赤外線送受信部１３３に接続する赤外線リモコンなどで予め設定しておくか、画像送信部１０２の操作パネル１１５で予め設定しておいてＳ２０４で送られる情報ファイルに含めて画像受信部１０３に送信するようにしても構わない。
（画像受信部：Ｓ２６３）２枚目以降の画像は、（Ｎ−１）枚目の受信画像とＮ枚目の受信画像とをトランジェクション表示する。例えば、図５（ｂ）は、（Ｎ−１）枚目の受信画像４０４とＮ枚目の受信画像４０５とを、表示装置１３０にトランジェクション表示する様子を示している。画像出力部１２９が表示装置１３０に先に表示していた（Ｎ−１）枚目の受信画像４０４に、Ｎ枚目の受信画像４０５が徐々に右側から上書き表示されていき、最終的にＮ枚目の受信画像４０５に入れ替わる。
（画像受信部：Ｓ２６４）トランジェクション表示の後、Ｓ２６２と同様に、Ｎ枚目の画像を予め設定された時間だけ、画像出力部１２９から出力する。
（画像受信部：Ｓ２６５）（Ｎ−１）枚目の画像をバッファメモリ１２６から消去する。尚、消去された部分には、（Ｎ＋１）枚目の次の画像が記憶される。このようにして、バッファメモリ１２６には、常に、少なくとも２枚の画像が記憶されているので、図５（ｂ）に示すようなトランジェクション表示が可能となる。
（画像受信部：Ｓ２６６）画像送信部１０２のＳ２１３で送信された「終了」の連絡を受信したか否かを調べる。受信している場合はＳ２６７に進み、受信していない場合はＳ２６９に進む。
（画像受信部：Ｓ２６７）画像送信部１０２から受けた「終了」の連絡に対して、「終了」を返して終了確認を行い、Ｓ２６８で画像受信部１０３の動作を全て終了する。
（画像受信部：Ｓ２６９）先に画像ファイル名で指定された画像の最終画像であるか否かを判断する。Ｓ２５６で受信した画像が最終画像だった場合はＳ２５５に戻って、Ｓ２５５からＳ２６９までの一連の処理を繰り返す。最終画像でなかった場合はＳ２７０に進む。
（画像受信部：Ｓ２７０）画像出力カウンタＮを１つインクリメントして、Ｓ２５６の画像の受信処理に戻り、次の画像を受信する。
【００２３】
尚、本実施形態では、表示装置１３０の種類や出力する画像の画素数は、ＣＰＵ１２１が接続されている機器の情報を読み取って、自動的に選択するものとしたが、操作パネル１２３で表示装置１３０の種類や出力する画像の画素数を選択するようにしても構わない。或いは、Ｓ２５２およびＳ２０２の処理を省略して、画像送信部１０２の操作パネル１１５で表示装置１３０の種類や出力する画像の画素数を選択するようにしても構わない。但し、この場合は、画像受信部１０３の出力画像の画素数よりも多くなる可能性があり、Ｓ２５９の処理で受信画像のサイズが大きい場合は除かれることもある。
【００２４】
また、Ｓ２０７の分岐処理において、ＨＤＴＶの場合は縮小処理を行うようにしたが、ＳＤＴＶの場合と同じように、予めいくつかの解像度の画像をメモリカード１１１に記憶しておき、出力する画像に近い画素数の画像をメモリカード１１１から選択するようにしても構わない。例えば、図６に示すように、メモリカード１１１に、同じ画像を解像度別に複数記憶しておく。つまり、１枚目の画像に関しては、１枚目画像ファイル（大）９０２，１枚目画像ファイル（中）９０３，１枚目画像ファイル（小）９０４の３種類を記憶し、同様に、Ｎ枚目の画像に関しても、Ｎ枚目画像ファイル（大）９０５，Ｎ枚目画像ファイル（中）９０６，Ｎ枚目画像ファイル（小）９０７の３種類を記憶しておく。
【００２５】
今、（大）の画像の画素数が３８４０×２１６０画素、（中）の画像の画素数が１９２０×１０８０画素、（小）の画像の画素数が６４０×４８０画素であったとすると、Ｓ２０７の処理において、画像受信部１０３の表示装置１３０の種類がＳＤＴＶの場合は、メモリカード１１１から１枚目画像ファイル（小）９０４およびＮ枚目画像ファイル（小）９０７を読み出す。同様に、ＨＤＴＶの場合は、メモリカード１１１から１枚目画像ファイル（大）９０２やＮ枚目画像ファイル（大）９０５を読み出す。この結果、送信時の縮小処理を省略することができる。
【００２６】
また、Ｓ２６２およびＳ２６４の処理において、画像を予め設定された時間だけ、画像出力部１２９から出力することとしたが、ＣＰＵ１２１は、送受信部１２５が画像送信部１０２の送受信部１１９と通信する速度を把握することができるので、予め画像送信部１０２から送信する画像データの容量を送ってもらうようにすれば、画像の送信時間を計算することができる。そこで、ＣＰＵ１２１は、Ｓ２６２およびＳ２６４の処理において、画像出力部１２９から画像を出力する時間を、計算した送信時間より長く設定することで、連続した画像を滑らかに出力することが可能となる。
【００２７】
逆に、画像送信部１０２のＣＰＵ１０４が画像の送信時間を計算し、送信時間に応じた画像の出力時間を画像受信部１０３に通知するようにしても構わない。
このように、本実施形態に係る画像再生装置１０１は、画像受信部１０３の表示装置１３０に表示する画像出力部１２９の出力画像の画素数を、予め画像送信部１０２に知らせることにより、画像送信部１０２は、送信する画像の画素数を必要最小限に減らすことができる。この結果、送信する画像のファイル容量が少なくなり、画像送信部１０２の送受信部１１９から画像受信部１０３の送受信部１２５に送信する画像の送信時間は、画素数の多い撮影画像をそのまま送信する場合に比べて、短くすることができる。
【００２８】
また、画像受信部１０３のバッファメモリ１２６には少なくとも２枚の画像を記憶できるようにすることで、前後に表示する２枚の画像をトランジェクション表示することができる。その際に、バッファメモリ１２６の残容量より大きなサイズの画像を記憶させないことにより、バッファメモリ１２６のオーバーフローを防止することができる。この結果、大容量のバッファメモリ１２６が不要となり、装置のローコスト化が可能となる。
【００２９】
さらに、画像出力部１２９の出力画素数より少ない画素数の画像を出力する場合は、拡大せずにそのまま出力するので、表示画像が粗くなるのを防止することができる。
また、画像送信部１０２の処理において、１回目の画像送信時に縮小処理した画像をメモリカード１１１に記憶しておくことにより、２回目以降に送信する際に、再び、縮小処理を行う必要がない。
【００３０】
（第２の実施形態）
図７に示す第２の実施形態に係る画像再生装置１５１は、画像送信部１５２と画像受信部１５３とからなる。画像送信部１５２および画像受信部１５３において、第１の実施形態の画像送信部１０２および画像受信部１０３と同符号のものは同じものを表す。第１の実施形態と異なるのは、画像送信部１５２において、画像の縮小処理を行うＤＳＰ１１２がないこと、画像受信部１５３において、画像の縮小処理を行うＤＳＰ５０１を設けたことである。
【００３１】
さらに、テレビ放送受信部５０２を設け、画像受信部１５３をテレビとして使用し、テレビ放送受信部５０２で受信したテレビ放送を表示装置１３０に表示することができる。特に、テレビ放送受信部５０２は、第１の実施形態で説明したネットワークＩＦ１３５と同様に、送受信部１２５による無線接続だけでなく、受信したテレビ放送の画像データや音声データを利用することができる。この場合は、ＣＰＵ１２１によって、送受信部１２５が受信した画像データや音声データの代わりに、テレビ放送から受信した画像データや音声データを利用する。つまり、送受信部１２５が画像送信部１５２から受信する画像データまたはテレビ放送の画像データ，音声データを、画像出力部１２９から出力する。
【００３２】
尚、第１の実施形態と同様に、画像送信部１５２および画像受信部１５３の両方の装置の電源を投入すると、自動的に、画像受信部１５３側の装置情報が画像送信部１５２側に送られ、画像送信部１５２側から画像受信部１５３側の装置情報に応じた画像が送信される。送信される画像は、デフォルト状態では、画像送信部１０２本体のバッファメモリ１０９に記憶されている一連の画像が送信される。デフォルト状態ではなく、操作パネル１１５でメモリカード１１１のフォルダを指定した場合は、指定したフォルダに記憶されている一連の画像が送信される。
【００３３】
以下、画像送信部１５２のＣＰＵ１０４および画像受信部１５３のＣＰＵ１２１のプログラム処理を、図８のフローチャートを用いて詳しく説明する。尚、表示装置１３０は、ＨＤＴＶの画像フォーマットに対応しているものとする。
先ず、第１の実施形態のＳ２０１およびＳ２５１と同様に、Ｓ３０１およびＳ３５１において、画像送信部１５２と画像受信部１５３の電源をオンする。
（画像受信部：Ｓ３５２）画像受信部１５３のバッファメモリ１２６の容量に関する情報を画像送信部１５２に送る。尚、第１の実施形態とは異なり、出力画像の画素数は送らなくても構わない。
（画像送信部：Ｓ３０２）画像受信部１５３のバッファメモリ１２６の容量に関する情報を受信する。
【００３４】
次のＳ３０３，Ｓ３０４，Ｓ３５３，Ｓ３５４は、第１の実施形態のＳ２０４，Ｓ２０５，Ｓ２５３，Ｓ２５４と同じように処理され、音楽付スライドショーの情報ファイルや音楽データなどの送受信を行う。また、Ｓ３０５およびＳ３５５では、画像送信部１５２の画像出力カウンタＭおよび画像受信部１５３の画像出力カウンタＮをそれぞれ初期値の１にセットして、画像を送受信する準備を行う。
（画像送信部：Ｓ３０６）送信しようとする画像のファイル容量が、Ｓ３０２で受け取った画像受信部１５３のバッファメモリ１２６の記憶容量よりも大きいか否かを判断し、大きい場合はＳ３０８に進み、小さい場合はＳ３０７に進む。これにより、バッファメモリ１２６のオーバーフローや無駄な送信を防止することができる。
（画像送信部：Ｓ３０７）バッファメモリ１０９の画像を縮小せずにそのまま画像受信部１５３に送信する。
（画像受信部：Ｓ３５６）画像送信部１５２から送られてくる画像を受信する。
（画像受信部：Ｓ３５７）画像受信が終わると、次の画像要求を画像送信部１５２に送る。
【００３５】
画像送信部１５２のＳ３０８からＳ３１４の処理は、第１の実施形態のＳ２２１からＳ２２４の処理と同じである。つまり、操作パネル１１５によるユーザの終了操作があった場合、および、次画像の要求がなかった場合は、画像送信部１５２の動作を全て終了する。また、送信した画像が最終画像であった場合はＳ３０５に戻り、再び、１枚目の画像から送信を繰り返す。送信した画像が最終画像でなかった場合は、画像出力カウンタＭを１つだけインクリメントしてＳ３０６に戻り、次の画像を送信する。
【００３６】
一方、画像を受信した後、画像受信部１５３は次のように処理する。
（画像受信部：Ｓ３５８）受信した画像のファイル容量がバッファメモリ１２６の記憶容量の残容量よりも大きいか否かを判断し、大きい場合はＳ３６６に進み、小さい場合はＳ３５９に進む。この結果、バッファメモリ１２６より大きな容量の画像を記憶しないので、バッファメモリ１２６のオーバーフローを防ぐことができる。尚、第１の実施形態の図５で説明したように、バッファメモリ１２６には、トランジェクション表示のために、画像出力部１２９から出力する少なくとも２枚の出力画像を記憶しておく必要がある。つまり、第１の実施形態と異なるのは、バッファメモリ１２６に最低限記憶しなければならないのは、画像送信部１５２から送られてくる縮小前の画像を少なくとも１枚と、縮小後の画像を少なくとも２枚である。従って、ここでの残容量は、バッファメモリ１２６の容量から縮小後の少なくとも２枚の画像の容量を引いた残りの容量となる。尚、第１の実施形態では、縮小された画像が送られてくるので、縮小前の画像は記憶する必要がなく、縮小後の画像を少なくとも２枚記憶できればよい。
（画像受信部：Ｓ３５９）受信した画像をバッファメモリ１２６に記憶する。
（画像受信部：Ｓ３６０）ＤＳＰ５０１によって受信した画像を縮小する。尚、本実施形態では、表示装置１３０がＨＤＴＶに対応したものとしたので、撮影画像の３８４０×２１６０画素を、ＨＤＴＶ画像の１９２０×１０８０画素に近くなるように縦横それぞれ１／２に縮小する。
（画像受信部：Ｓ３６１）縮小した画像をバッファメモリ１２６に記憶する。
【００３７】
次のＳ３６２からＳ３６５の処理は、第１の実施形態のＳ２６１からＳ２６５と同じである。つまり、バッファメモリ１２６に記憶された画像を予め設定された時間だけ表示するが、２枚目以降の画像は、（Ｎ−１）枚目の受信画像とＮ枚目の受信画像とをトランジェクション表示し、（Ｎ−１）枚目の画像をバッファメモリ１２６から消去する。
次のＳ３６６からＳ３７０の処理は、第１の実施形態のＳ２６６からＳ２７０と同じである。つまり、画像送信部１５２から「終了」の連絡を受信している場合は、画像送信部１５２に「終了」を返信し、画像受信部１５３の動作を全て終了する。また、受信した画像が最終画像であった場合はＳ３５５に戻り、再び、１枚目の画像から受信を繰り返す。受信した画像が最終画像でなかった場合は、画像出力カウンタＮを１つだけインクリメントしてＳ３５６に戻り、次の画像を受信する。
【００３８】
このように、本実施形態に係る画像再生装置１５１は、画像受信部１５３で画像の縮小を行うことにより、画像出力部１２９が出力する画像の画素数に応じた画像を出力することができる。また、画像受信部１５３のバッファメモリ１２６の容量を画像送信部１５２に知らせることにより、バッファメモリ１２６のオーバーフローや無駄な送信を防止することができる。同様に、画像受信部１５３においても、バッファメモリ１２６の残容量より大きな容量の受信画像を記憶しないので、バッファメモリ１２６に少なくとも２枚の出力画像を記憶でき、滑らかなトランジェクション表示を行うことができる。
【００３９】
尚、本実施形態では、表示装置１３０は、ＨＤＴＶの画像フォーマットに対応しているものとしたが、Ｓ３５９とＳ３６０との間に、第１の実施形態のＳ２０７に相当する判別処理を行っても構わない。判別処理を行う場合は、例えば、Ｓ３６０において、ＳＤＴＶの場合は縦横それぞれ１／５に縮小し、ＨＤＴＶの場合は縦横それぞれ１／２に縮小するように処理すればよい。
【００４０】
また、Ｓ３６３およびＳ３６５において、画像を予め設定された時間だけ、画像出力部１２９から出力することとしたが、第１の実施形態と同様に、ＣＰＵ１２１は、予め画像の送信時間を計算することができる。そこで、次の画像を受信するまで前の画像を出力しなければならないＳ３６３およびＳ３６５の処理において、ＣＰＵ１２１は、画像出力部１２９から画像を出力する時間を、計算した送信時間より長く設定することで、連続した画像を滑らかに出力することが可能となる。
【００４１】
（第３の実施形態）
第３の実施形態に係る画像再生装置の構成は、図７の第２の実施形態の画像再生装置１５１と同じである。第２の実施形態と異なるのは、画像受信部１５３のＤＳＰ５０１で縮小した画像をメモリカードＩＦ１２７を介して接続されているメモリカード１２８に全て記憶しておくことである。尚、第１の実施形態と同様に、撮像素子１０７は、３８４０×２１６０画素で、表示装置１３０は、ＳＤＴＶの画像フォーマットに対応しているものとする。
【００４２】
第３の実施形態に係る画像再生装置１５１の動作を、図９および図１０のフローチャートに示す。尚、画像送信部１５２の動作は、第２の実施形態のＳ３０１からＳ３１４と同じなので説明を省略し、画像受信部１５３の動作について説明する。また、画像受信部１５３のＳ４５１からＳ４５５までの処理は、第２の実施形態のＳ３５１からＳ３５５までの処理と同じである。
（画像受信部：Ｓ４５６）画像送信部１５２から送られてくる画像を受信し、バッファメモリ１２６に記憶する。尚、この時、第２の実施形態のＳ３５８の処理のように、バッファメモリ１２６の残量の制御処理を行うようにしても構わない。
（画像受信部：Ｓ４５７）画像受信が終わると、次の画像要求を画像送信部１５２に送る。
（画像受信部：Ｓ４５８）ＤＳＰ５０１によって受信した画像を縮小する。尚、本実施形態では、表示装置１３０がＳＤＴＶに対応したものとしたので、撮影画像の３８４０×２１６０画素を、ＳＤＴＶ画像の７２０×４８０画素に近くなるように縦横それぞれ１／５に縮小する。
（画像受信部：Ｓ４５９）縮小した画像をメモリカード１２８に記憶する。
【００４３】
次のＳ４６０からＳ４６３の処理は、第１の実施形態のＳ２６１からＳ２６５と同じである。つまり、バッファメモリ１２６に記憶された画像を予め設定された時間だけ表示するが、２枚目以降の画像は、（Ｎ−１）枚目の受信画像とＮ枚目の受信画像とをトランジェクション表示し、（Ｎ−１）枚目の画像をバッファメモリ１２６から消去する。
ここで、図９のフローチャートの続きを図１０に示し、図９のＧ，Ｈ，Ｉ，Ｊ，Ｋは、それぞれ図１０の同一符号に接続され、処理の方向は矢印で示している。
【００４４】
次のＳ４６４からＳ４６８の処理は、分岐先を除き、第１の実施形態のＳ２６６からＳ２７０と同じである。つまり、画像送信部１５２から「終了」の連絡を受信している場合は、画像送信部１５２に「終了」を返信し、画像受信部１５３の動作を全て終了する。また、受信した画像が最終画像でなかった場合は、画像出力カウンタＮを１つだけインクリメントしてＳ４５６に戻り、次の画像を受信する。受信した画像が最終画像であった場合の分岐先が第１の実施形態とは異なり、Ｓ４６９に進む。
【００４５】
次の処理以降、画像受信部１５３は画像を受信せず、１回目に縮小した画像を記憶したメモリカード１２８の画像を読み出して、画像出力部１２９から表示装置１３０に出力する処理に入る。
（画像受信部：Ｓ４６９）画像受信部１５３の画像出力カウンタＮを初期値の１にセットする。
（画像受信部：Ｓ４７０）メモリカード１２８に記憶されている１回目の縮小画像を読み出す。
【００４６】
次のＳ４７１からＳ４７４の処理は、Ｓ４６０からＳ４６３の処理と同じように、画像を出力表示する。
次のＳ４７５からＳ４７７の処理は、分岐先を除き、第１の実施形態のＳ４６４からＳ４６８と同じである。つまり、画像送信部１５２から「終了」の連絡を受信している場合は、画像受信部１５３の動作を全て終了する。また、メモリカード１２８から読み出した画像が最終画像でなかった場合は、画像出力カウンタＮを１つだけインクリメントしてＳ４７０に戻り、メモリカード１２８から次の画像を読み出す。メモリカード１２８から読み出した画像が最終画像であった場合はＳ４６９に戻り、再び、メモリカード１２８の１枚目の画像から繰り返し読み出す。
【００４７】
このように、本実施形態に係る画像再生装置１５１は、画像受信部１５３で画像の縮小を行って、縮小した画像を全てメモリカード１２８に記憶しておくことにより、第２の実施形態のように、画像送信部１５２から同じ画像を何度も送信する必要がない。従って、２回目以降の表示では、画像送信部１５２から画像受信部１５３への画像の送信時間を考える必要がなく、画像出力部１２９が出力する画像の出力間隔を短くしても、画像が途切れることなく、表示装置１３０に滑らかに画像を表示することができる。
【００４８】
また、第２の実施形態と同様に、ネットワークＩＦ１３５やテレビ放送受信部５０２から受信した画像データも、画像送信部１５２から受信した画像データと同様に、縮小処理などを行うことによって、画像出力部１２９から表示装置１３０に表示することができる。
尚、表示装置１３０は、ＳＤＴＶの画像フォーマットに対応しているものとしたが、Ｓ４５７とＳ４５８との間に、第１の実施形態のＳ２０７に相当する判別処理を行っても構わない。判別処理を行う場合は、例えば、Ｓ４５８において、ＳＤＴＶの場合は縦横それぞれ１／５に縮小し、ＨＤＴＶの場合は縦横それぞれ１／２に縮小するように処理すればよい。
【００４９】
また、Ｓ４６１およびＳ４６３において、画像を予め設定された時間だけ、画像出力部１２９から出力することとしたが、第１の実施形態および第２の実施形態と同様に、ＣＰＵ１２１は、予め画像の送信時間を計算することができるので、画像出力部１２９から画像を出力する時間を、画像の送信時間より長く設定することで、連続した画像を滑らかに出力することが可能となる。
【００５０】
（第４の実施形態）
第４の実施形態に係る画像再生装置の構成は、図１の第１の実施形態の画像再生装置１０１と同じである。本実施形態は、画像送信部１０２で縮小した画像を画像受信部１０３の印刷装置１３４で印刷する場合の実施形態である。
本実施形態に係る画像再生装置１０１の動作を、図１１のフローチャートを用いて説明する。尚、第１の実施形態の図２および図３のフローチャートと同じ符号のステップは、同じ処理を表す。
【００５１】
Ｓ２０１およびＳ２５１で、画像送信部１０２および画像受信部１０３の電源をオンする。
（画像受信部：Ｓ２５２ｂ）画像受信部１０３の印刷装置１３４の画素数（解像度）に関する情報を画像送信部１０２に送る。
（画像送信部：Ｓ２０２ｂ）画像受信部１０３の画像出力部１２９の印刷装置１３４の画素数に関する情報を受信する。
【００５２】
Ｓ２０３からＳ２１６の処理は、第１の実施形態と同じで、画像受信部１０３の画像出力部１２９の印刷装置１３４の画素数に合うように、画像を縮小して送信する。
（画像送信部：Ｓ２１７ｂ）先に画像ファイル名で指定した画像の最終画像であるか否かを判断する。Ｓ２１１で送信した画像が最終画像でなかった場合はＳ２１８に進むが、最終画像だった場合は、第１の実施形態と異なり、Ｓ２１３に進み、画像送信部１０２の処理を全て終了する。
（画像受信部：Ｓ２６０ｂ）受信した画像を、一旦、バッファメモリ１２６に記憶して、印刷装置１３４に出力する。
【００５３】
上記以外の処理は、第１の実施形態と同じなので、説明を省略する。
このように、本実施形態に係る画像再生装置１０１は、画像受信部１０３の印刷装置１３４の印刷画素数を画像送信部１０２に知らせることにより、画像送信部１０２は、送信する画像の画素数を必要最小限に減らすことができる。この結果、送信する画像のファイル容量が少なくなり、画像送信部１０２の送受信部１１９から画像受信部１０３の送受信部１２５に送信する画像の送信時間は、画素数の多い撮影画像をそのまま送信する場合に比べて、短くすることができる。
【００５４】
尚、本実施形態では、１回だけ印刷する場合について説明したが、第１の実施形態と同様に、画像送信部１０２の処理において、１回目の画像送信時に縮小処理した画像をメモリカード１１１に記憶しておくことにより、複数回の印刷を行う場合、再び、縮小処理を行う必要がなくなる。また、第２の実施形態や第３の実施形態のように、画像受信部１０３および１５３において、縮小処理を行うようにし、表示装置１３０に画像を出力する代わりに、印刷装置１３４に画像を出力するようにしても構わない。
【００５５】
（第５の実施形態）
第５の実施形態に係る画像再生装置のブロック図を図１２に示す。尚、第１および第２の実施形態と同符号のものは同じものを示す。本実施形態に係る画像再生装置６０１は、先述した各実施形態の画像受信部１０３および１５３に相当し、送受信部１２５を有しない構成になっている。画像再生装置６０１は、外部から画像データや音声データをメモリカード１２８で入力して、表示装置１３０や印刷装置１３４の画素数に応じてＤＳＰ５０１で縮小処理を行い、表示装置１３０あるいは印刷装置１３４に画像を出力する。
【００５６】
本実施形態のＣＰＵ１２１の処理は、第１の実施形態のフローチャート図２および図３において、画像受信部１０３の処理だけに相当する。つまり、Ｓ２５２，Ｓ２５７の各送信処理は、メモリカード１２８からのファイル情報の読み取りに替わる。また、Ｓ２５３，Ｓ２５４およびＳ２５６の各受信処理は、メモリカード１２８からのファイルデータの読み取りに替わる。さらに、Ｓ２６６およびＳ２６７の送受信処理は、メモリカード１２８の制御に替わる。
【００５７】
このように、本実施形態に係る画像再生装置６０１は、メモリカード１２８から入力した画像を画像出力部１２９が出力する画像の画素数に応じて縮小し、バッファメモリ１２６に少なくとも２枚を記憶することで、滑らかなトランジェクション表示を行うことができる。
（第６の実施形態）
第６の実施形態に係る画像再生装置６０１は、図１２の第５の実施形態において、第１から第４の各実施形態における送受信部１１９および１２５の代わりに、ネットワークを介して画像を送受信する。この場合は、ネットワークＩＦ１３５を介して、画像送信部１０２あるいは１５２に相当するネットワークＩＦを有する画像送信部と画像再生装置６０１とを接続し、画像データや音声データおよび制御データを送受信する。この場合の処理は、画像の通信手段が、無線通信からネットワーク通信に替わるだけで、各実施形態のフローチャートは、基本的には同じである。
【００５８】
このように、無線通信ではなくネットワークを用いることによって、画像出力部１２９が出力する画像の画素数や印刷装置１３４の画素数に応じて縮小して、送受信できるので、画像の品質を損なうことなく、ネットワークの利用効率を向上することができる。
以上、各実施形態において本発明に係る画像再生装置を説明してきたが、表示装置１３０がＳＤＴＶやＨＤＴＶなどテレビ画像に関連したものではなく、ＶＧＡ，ＳＶＧＡおよびＸＧＡなど、様々な解像度のパソコンのモニタである場合も同じ効果がある。例えば、表示装置１３０がＶＧＡの解像度（６４０×４８０画素）の場合は、３８４０×２１６０画素の撮影画像を縦横それぞれ約１／５に縮小して送信することで、表示画像の品質を落とすことなく、送信時間を大幅に削減することができる。
【図面の簡単な説明】
【００５９】
【図１】第１の実施形態に係る画像再生装置のブロック図である。
【図２】第１の実施形態に係る画像再生装置のフローチャートである。
【図３】第１の実施形態に係る画像再生装置のフローチャートである。
【図４】表示例を説明する説明図である。
【図５】第１の実施形態に係る画像再生装置のバッファメモリの状態および画像表示状態を説明する説明図である。
【図６】画像ファイル例を説明する説明図である。
【図７】第２の実施形態に係る画像再生装置のブロック図である。
【図８】第２の実施形態に係る画像再生装置のフローチャートである。
【図９】第３の実施形態に係る画像再生装置のフローチャートである。
【図１０】第３の実施形態に係る画像再生装置のフローチャートである。
【図１１】第４の実施形態に係る画像再生装置のフローチャートである。
【図１２】第５の実施形態に係る画像再生装置のブロック図である。
【符号の説明】
【００６０】
１０１，１５１・・・画像再生装置  １０２，１５２・・・画像送信部
１０３，１５３・・・画像受信部    １０４，１２１・・・ＣＰＵ
１０７・・・撮像素子              １０９・・・バッファメモリ
１１１，１２８・・・メモリカード  １１２，５０１・・・ＤＳＰ
１１５，１２３・・・操作パネル    １２６・・・バッファメモリ
１２９・・・画像出力部            １１９，１２５・・・送受信部
１３０・・・表示装置              １３４・・・印刷装置
１３５・・・ネットワークＩＦ      ５０２・・・テレビ放送受信部                                                                                
【図１】
2007288654.tif 000003
【図２】
2007288654.tif 000004
【図３】
2007288654.tif 000005
【図４】
2007288654.tif 000006
【図５】
2007288654.tif 000007
【図６】
2007288654.tif 000008
【図７】
2007288654.tif 000009
【図８】
2007288654.tif 000010
【図９】
2007288654.tif 000011
【図１０】
2007288654.tif 000012
【図１１】
2007288654.tif 000013
【図１２】
2007288654.tif 000014